(57)【特許請求の範囲】
【請求項１】
滑動手段（１４）を有する窓ステーにおいて、その滑動手段は、ステーエレメント（１０）上の少なくとも１つの固定位置に滑動手段を位置決めおよび固定できる固定手段（１８）を有し、前記固定手段は、前記ステーエレメント（１０）の少なくとも１つの係合部（３５）と係合自在であるラッチ掛け部分（３１）、およびラッチ掛け部分を前記係合部（３５）から離脱可能にして滑動手段（１４）を前記ステーエレメント（１０）に沿って滑動可能とする作動部（３０）を有し、また滑動手段（１４）が固定位置に達すると、ラッチ掛け部分（３１）を前記係合部（３５）と再係合させる再ラッチ掛け手段（３３）が設けられ、
前記ラッチ掛け部分（３１）が係合部（３５）との係合を外したままにするように固定手段（１８）を少なくとも一時的に保持する保持手段（３７）が設けられ、
保持手段はクリップ手段（３７）からなり、それにより作動部が動かされてラッチ掛け部分（３１）を離脱するときに作動部（３０）を解放自在に保持する窓ステー。
【請求項２】
滑動手段（１４）を有する窓ステーにおいて、その滑動手段は、ステーエレメント（１０）上の少なくとも１つの固定位置に滑動手段を位置決めおよび固定できる固定手段（１８）を有し、前記固定手段は、前記ステーエレメント（１０）の少なくとも１つの係合部（３５）と係合自在であるラッチ掛け部分（３１）、およびラッチ掛け部分を前記係合部（３５）から離脱可能にして滑動手段（１４）を前記ステーエレメント（１０）に沿って滑動可能とする作動部（３０）を有し、また滑動手段（１４）が固定位置に達すると、ラッチ掛け部分（３１）を前記係合部（３５）と再係合させる再ラッチ掛け手段（３３）が設けられ、
前記ラッチ掛け部分（３１）が係合部（３５）との係合を外したままにするように固定手段（１８）を少なくとも一時的に保持する保持手段（３７）が設けられ、
保持手段（３７）から固定手段（１８）を解放させる解放手段（３４）が設けられ、    解放手段はアーム（３４）および解放開口部（３６）を備え、解放アームは、作動部（３０）が動かされてラッチ掛け部分（３１）を離脱するときに前記解放開口に移動でき、前記解放アーム（３４）は、滑動手段（１４）が動かされて保持手段（３７）が解放されるときにステーエレメント（１０）と係合可能となる窓ステー。
【請求項３】
保持手段（３７）から固定手段（１８）を解放させる解放手段（３４）が設けられる請求項１に記載される窓ステー。
【請求項４】
保持手段はクリップ手段（３７）からなり、それにより作動部が動かされてラッチ掛け部分（３１）を離脱するときに作動部（３０）を解放自在に保持する請求項２に記載される窓ステー。
【請求項５】
解放手段はアーム（３４）および解放開口部（３６）を備え、解放アームは、作動部（３０）が動かされてラッチ掛け部分（３１）を離脱するときに前記解放開口に移動でき、前記解放アーム（３４）は、滑動手段（１４）が動かされて保持手段（３７）が解放されるときにステーエレメント（１０）と係合可能となる請求項３に記載される窓ステー。
【請求項６】
押圧力を固定手段（１８）へ加える押圧手段（３３）が設けられる上記請求項１乃至５のいずれかに記載される窓ステー。
【請求項７】
係合部はステーエレメント（１０）における開口部（３５）であり、またラッチ掛け部分（３１）は前記開口部（３５）と係合自在である突起部を備える上記の請求項１乃至６のいずれかに記載される窓ステー。
【請求項８】
ステーエレメントは枠取り付け板（１０）であり、また前記滑動手段（１４）は窓ステーのアーム（１２）の一端を回動自在に取り付けており、さらに窓ステーが全閉位置にあるときに滑動手段（１４）と係合する末端停止エレメント（１５）が設けられている上記の請求項１乃至７のいずれかに記載される窓ステー。
【請求項９】
末端停止部（１５）は、窓ステーが全閉位置にあるときに前記アーム（１２）の少なくとも一部と係合するアーム係合部分（２３）を備える請求項８に記載される窓ステー。
【請求項１０】
ステーエレメント（１０）は、滑動手段（１４）が移動できる方向に対して縦方向にある一対の対向する縁部を有し、また前記縁部の内側へ向けて位置する少なくとも１つの案内手段（２７）が設けられ、さらに滑動手段（１４）は、その案内手段に沿って縦方向に移動できるが、窓ステーの通常の作動中は案内手段から外れて横方向に移動できないように案内手段（２７）内で係合する係合部（４４）を有する上記の請求項１乃至９のいずれかに記載される窓ステー。
【請求項１１】
前記側縁部のそれぞれの内側へ向けかつそれぞれと平行に位置する案内手段（２７）が設けられる請求項１０に記載される窓ステー。
【請求項１２】
末端停止部はステーエレメントへクリップ留めされ、また前記末端停止部はステーエレメント（１０）における開口部と整合する開口部（２０’）を有し、機械的締め金具を整合された開口部を通して係合できる請求項９に記載される窓ステー。
【発明の詳細な説明】
【０００１】
【発明が属する技術分野】
本発明は窓ステーの改良に関する。
【０００２】
【従来の技術】
窓ステーは建具金物の部材であり、それにより窓サッシを窓枠に蝶番状に取り付けできる。用語の窓ステーは、最も広い意味での窓枠内にサッシを蝶番状に取り付けるヒンジであるが、それ自身が調整された開放位置に窓サッシを保持するものに限定する必要がない。窓ステーの好ましい形態において、ステーが調整された開放位置に窓サッシを保持できるように摩擦回動ジョイントが組み込まれる。典型的に窓サッシは、一対の窓ステーにより窓枠内に取り付けられる。
【０００３】
窓ステーが必要な蝶番回動動作をできるように、滑動キヤリッジまたは滑動シューが設けられることが時々ある。そのキヤリッジは、キヤリッジが滑動自在に係合する取り付け板に沿う走行の範囲内で一箇所以上の位置で固定される必要があることがある。そのような窓ステーは、例えば、一般に二重作動ステーと呼ばれる、本出願人の英国特許明細書１５６５７０３に開示される形式のものとすることができる。
【０００４】
特許明細書１５６５７０３に開示されているように、滑動キヤリッジは、第１の位置に固定でき、それによりステーは既知の４バー・ステーの仕方で作動できる。しかしながらそのキヤリッジは、取り付け板に沿って滑動できるように解放され、また窓サッシは、一箇所以上、一般には少なくとも一箇所、最大限までまたはその近くまで開放される場合に固定できる。その最大開放位置で窓サッシは、窓枠の平面に対して９０度またはほぼ９０度である平面内に位置する。
【０００５】
【発明が解決しようとする課題】
そのような配置に関する典型的な問題は、キヤリッジの確実な固定が困難であること、または使用者が一対のステーのそれぞれについて固定機構を操作しなければならないだけでなく、窓ステーに押し動作を加えなければならいので、固定機構を操作することに困難さがあることである。
滑動キヤリッジに関する他の問題は、キヤリッジが滑動自在に係合する取り付け板の縦方向縁部に重なる、またはそれを越えて突き出るキヤリッジによる。そのため、キヤリッジの自由な滑動が妨害されないように取り付け板の全長について、窓枠と取り付け板との間に隙間を残す必要がある。取り付け板は、適正な隙間が得られるように枠内に適正に位置決めしなければならない。しかしながら、枠取り付け板の縦方向片側に沿い、かつその一端における窓枠の鍔部に対してその近くに窓ステーの枠取り付け板を位置決めすることが、取り付け目的および適正な配向のために望ましい。
【０００６】
【課題を解決するための手段】
一般的に本発明の１つの態様は、シューまたはキヤリッジのような滑動手段を備える形式の窓ステーが設けられている。その滑動手段は、ステーエレメント上の少なくとも１つの固定位置に滑動手段を位置決めおよび固定できる固定手段を有する。その固定手段は、前記ステーエレメントの少なくとも１つの係合部と係合自在であるラッチ掛け部分と、およびラッチ掛け部分を前記係合部から離脱させて滑動手段を前記ステーエレメントに沿って滑動させることができる作動部とを有し、また滑動手段が固定位置に達すると、ラッチ掛け部分を前記係合部と再係合させる再ラッチ掛け手段が設けられる。
【０００７】
本発明の第２の広い態様によれば、ステーエレメントに沿って滑動移動ができるように位置決めされるシューまたはキヤリッジのような滑動手段を備える形式の窓ステーである。そのステーエレメントは、滑動手段が移動できる方向に対して縦方向にある一対の対向する縁部を有し、また前記縁部の内側へ向けて位置する少なくとも１つの案内手段が設けられ、さらに滑動手段は、案内手段に沿って縦方向に移動できるが、窓ステーの通常の作動中は案内手段から外れて横方向に移動できないように案内手段内で係合する係合部を有する。
【０００８】
本発明の好ましい形態においては、前記側縁部のそれぞれの内側へ向けかつそれぞれと平行に位置する案内手段が設けられている。
好ましくは、本発明に従う窓ステーにおいて、ステーエレメントは枠取り付け板であり、また前記滑動手段は窓ステーのアームの一端を回動自在に取り付け、また窓ステーが全閉位置にあるときに滑動手段と係合する末端停止エレメントが設けられ、さらに末端停止部は、窓ステーが全閉位置にあるときに前記アームの少なくとも一部と係合するアーム係合部分を備える。
【０００９】
本発明の好ましい形態に従う本発明の下記の詳細な説明において、添付図面が参照される。
【００１０】
【発明の実施の形態】
本発明の下記の説明において、本発明が適用された窓ステーは、本出願人の英国特許明細書１５６５７０３に開示される二重作動形式のものである。このステーは、ステーエレメントである枠取り付け板１０、サッシ取り付け板１１、ショートアーム１２およびロングアーム１３を備える。滑動手段としてのキヤリッジ１４は、枠取り付け板１０に滑動自在に係合し、またショートアーム１２を経てサッシ取り付け板１１へ連結される。ショートアーム１２は、対応する回動ジョイント１６および１６’を経てキヤリッジ１４およびサッシ取り付け板１１へそれぞれ連結される。
【００１１】
ロングアーム１３は同様に、それぞれの端部において、回動軸１７および１７’を経て取り付け板１０および１１へ回動自在に取り付けられる。本発明の好ましい形態において、回動ジョイント１６’、回同軸１７および１７’は、本出願人のニュージーランド特許明細書２３０９０５に説明および請求される形式のものである。しかしながら、技術に有能な者にとり明白である、他の形態の接触回動ジョイントまたは非接触回動ジョイントを採用できる。
末端停止部１５は、枠取り付け板１０の回動軸１７を有する端部の反対側他端部へ固定装着される。
【００１２】
板１０および１１の対応する窓枠および窓サッシへの取り付けを容易にするために、サッシ取り付け板１１には機械的締め金具を受容する開口部１９が、また枠取り付け板１０には開口部２０が設けられる。機械的締め金具を末端停止部１５の開口部２０’を通して、かつ枠取り付け板１０の対応する開口部２０を通して窓枠へ通過させることができる。この機械的締め金具は、末端停止部１５を枠取り付け板１０へ一部または全体を固定するのにも採用できる。
【００１３】
しかしながらこの好ましい形態において、図９に示されるように末端停止部１５は、枠取り付け板１０に設けた開口部内に係合する突起クリップ４３を有するようにしてもよい。また縦方向に延びる脚部４４は、キヤリッジに滑動自在に係合する溝２７内で係合する（後述参照）。これらの末端停止部１５の取り付けは本質的に、枠取り付け板１０に対して縦方向移動を防止するクリップおよび横方向移動を防止する脚部４４によるスナップ嵌めである。末端停止部のこの固定部分は、ステーの窓への設置中に特に重要である。
【００１４】
英国特許明細書１５６５７０３の二重作動形式ステーと同様に、キヤリッジ１４は回動軸１７から最も離れている末端位置に固定され、また固定機構１８がこの目的のために設けられる。
【００１５】
ショートアーム１２がキヤリッジ１４の窪み部分２１内に取り付けられ、この窪み部分は末端停止部１５の窪み部分２２と整合している。末端停止部１５の壁２３は、ステーが全閉位置にあるときにショートアーム１２の縁部と係合して、アーム１２が全閉位置に達したときにアーム１２の移動の範囲を限定する。
末端停止部１５は、キヤリッジ１４が回動軸１７から最も離れた最大移動範囲まで移動したときにキヤリッジの端部２５と係合する停止表面部２４も備える。
【００１６】
最大移動範囲に達した時点で、キヤリッジ１４は、固定機構１８により滑動移動しないように固定される。図３および４に示されるように固定機構１８は、ほぼＺ形状のレバーから構成され、そのレバーは、作動部である、作動ボタンすなわち操作ボタンを形成する一方の脚部３０、およびキヤリッジ１４の固定位置において枠取り付け板１０の開口部３５に係合するラッチ掛け部分としての突起部３１を有する他方の脚部を有する。レバーの中間セクション３２は、以下で明らかになるように回動セクションを形成する。
【００１７】
ボタン３０から下方へ突き出すバネ部３３がボタンと一体で形成されている。そのバネ部の末端部は、固定機構１８が設けられているキヤリッジ１４の空洞３９内に配置された交差部材３８と係合する。
ボタン３０および関連するバネ部３３から下方へに延びる解放アーム３４が設けられる。図３および４に示される滑動キヤリッジ１４の末端位置において、この解放アーム３４は、枠板１０の開口部３６に対向するように位置決めされる。この開口部３６は、以下で明らかになる理由のために、固定アーム１８の突起部３１が係合する開口部３５とは形状および寸法が異なる。
【００１８】
固定機構１８を解放し、かつ枠取り付け板１０に沿って滑動キヤリッジを滑動させるために、図５および６に示されるように下向きの圧力がボタン３０へ加えられる。そのような移動は、開口部３６内へ移動する解放アーム３４により可能である。ボタン３０の最大移動範囲は、空洞３９の天井４０と係合する固定機構１８のアーム３１により限定される。そのような位置においてボタン３０の末端部は、キヤリッジ１４の一体部分として形成されるクリップ部材３７と係合する（図６参照）。ボタン３０が押されると、バネ部３３は、その末端部が交差部材３８と係合する結果として変形されることも分かる。
キヤリッジ１４が末端停止部１５から離れて滑動すると、解放アーム３４が開口部３６の縁部と係合して、それにより上向きの力がボタン３０へ加えられるので、ボタンが（バネ部３３の押圧効果の下で）クリップ３７との係合から解放される（図８参照）。突起部３１のサイズおよび形状が異なり、その突起部が開口部３６に係合できず、その上を通して単に滑動できるようになっているので、キヤリッジは枠取り付け板１０に沿って滑動を継続できる。
【００１９】
しかしながらキヤリッジが回動軸１７へ向けて滑動の最大範囲に達すると（図２参照）、突起部３１は移動して、開口部４１（図１参照）に係合する。固定機構１８は、図３および４に示される構成となる。従ってキヤリッジは、図２に示される位置に自動的に固定される。
キヤリッジ１４を末端停止部１５へ後退させるために、ボタン３０が図６に示される位置へもう一度押されると、キヤリッジは末端停止部１５へ向けて後退できる。解放アーム３４と関連する開口部４２の縁部との相互作用により、固定機構が図７に示される位置まで動かされるので、キヤリッジ１４が末端停止部１５と係合するとき（すなわち表面部２４および２５が係合するとき）、固定機構は、突起部３１の開口部３５との再係合についての「引き金を引く」準備を完了する。キヤリッジがこの位置に戻り、ステーは単に標準の４バー・ステーとして作動を継続できる。
【００２０】
したがって、本発明によって、ステーキヤリッジの走行の２箇所の極限位置においてキヤリッジの確実で自動的な固定ができる固定器具が提供される。必要ならば、キヤリッジを２箇所の極限位置間の中間位置に固定できるように枠取り付け板の長さに沿って別の対の開口部を設けることができるであろう。この固定機構は操作が容易であり、ボタン３０を押すと保持部であるクリップ３７と係合するので、使用者は、各固定機構を個別に操作し、ついで窓サッシを動かすことができる。
【００２１】
枠取り付け板１０の長さに沿って延びる一対の平行溝２７が、それぞれ縦方向の縁部２８に隣接して設けられる。キヤリッジ１４の脚部２６は、溝２７内で摺動自在に係合する。溝２７は、脚部２６が溝２７に対して横方向に移動できないように、脚部の一部に係合する折返し部２７’の輪郭を有する。すなわち脚部は溝２７に沿った縦方向の滑動移動だけが許容される。
【００２２】
この構成の結果としてキヤリッジ１４の縦方向縁部は、枠取り付け板の縦方向縁部２８の内側に位置決めされる。かくして枠取り付け板１０は、キヤリッジ１４の自由な滑動移動を妨害することなく、窓枠の鍔部に対してその近くに係合できる。
【００２３】
図９は、末端停止部１５が枠板１０の端部へ重なるように、末端停止部１５がどのようにして枠板１０へ装着できるかを図示する。窓枠に対してその近くにステーを載置することにより、適正な取り付け位置を決めることができる。また末端停止部１４は風の負圧に耐えるのに役立つ。
【図面の簡単な説明】
【図１】  標準4 バー・ステーとして機能し、全開位置で示されるステーを有する二重作動形式の窓ステーの透視図である。
【図２】  同様な透視図であるが、ステーにより取り付けられたサッシの全開位置に対応する位置にステーが位置する箇所までキヤリッジが動かされた図である。
【図３】  図１および２の窓ステーの部分透視図であり（しかし明確にするためにショートアームは取り外されている）、またステーが従来の４  バーステーとして作動できる末端位置にキヤリッジが固定された図である。
【図４】  図３に示される構成の断面図である。
【図５】  図３および図４と同様な図であるが、キヤリッジが滑動移動ができるように解放された図である。
【図６】  図３および図４と同様な図であるが、キヤリッジが滑動移動ができるように解放された図である。
【図７】  キヤリッジが図１ の位置から短い滑動移動を行ったのを示す、さらに同様な図である。
【図８】  キヤリッジが図１ の位置から短い滑動移動を行ったのを示す、さらに同様な図である。
【図９】  枠取り付け板上の末端停止部の断面透視図である。
【符号の説明】
１０  枠取り付け板、１１  サッシ取り付け板、１２  ショートアーム、１３ロングアーム、１４  キャリッジ、１５  末端停止部、１８  固定機構。
【図１】
0004018773.tif 000002
【図２】
0004018773.tif 000003
【図３】
0004018773.tif 000004
【図４】
0004018773.tif 000005
【図５】
0004018773.tif 000006
【図６】
0004018773.tif 000007
【図７】
0004018773.tif 000008
【図８】
0004018773.tif 000009
【図９】
0004018773.tif 000010